(57)【要約】      （修正有）【課題】ペットボトル、プッシュボトル、アルミボトル缶、ビン等の金属製若しくはプラスチック製若しくはガラス製のボトルを提供する。【解決手段】ボトル全体４が酸素カプセル状の形状を有する。ＴＶ等のマスメディアを通じて多くの有名スポーツ選手や芸能人が使用することが広く知られている酸素カプセルが持っている疲労回復、怪我の早期回復、集中力アップ、美肌効果等の効能のイメージを連想することが可能になり、高濃度の酸素が充填若しくは付加された商品の効能を視覚的に素早く理解することが可能になる。【選択図】図１
0003185043.tif 000002
【実用新案登録請求の範囲】
【請求項１】
金属製若しくはプラスチック製若しくはガラス製のボトルであって、ボトル全体に酸素カプセルを連想させる意匠を施したデザイン形状を有することにより、多くの有名スポーツ選手や芸能人が使用することがＴＶ等のマスメディアを通じて広く知られている酸素カプセルの効能を連想することが可能になり、高濃度の酸素が充填若しくは付加した商品の効能を視覚的に短時間で素早く理解することが可能になることを特徴とする金属製若しくはプラスチック製若しくはガラス製のボトル。
【考案の詳細な説明】
【技術分野】
【０００１】
本考案は、ペットボトル、プッシュボトル、アルミボトル缶、ビン等のプラスチック製、若しくは金属製、若しくはガラス製のボトルに、酸素カプセルを連想させる意匠を施したデザイン形状を有するボトルに関するものである。
【背景技術】
【０００２】
従来、疲労回復、怪我の早期回復、集中力アップ等の効能を謳った健康食品若しくは健康飲料として高濃度の酸素を充填若しくは付加した食品や飲料が発売されている。また、美容効果向上の効能を謳った化粧品として高濃度の酸素を充填若しくは付加した化粧品が発売されている。
【０００３】
しかしながら、現在までに発売された商品や現在発売されている商品においては、効能を商品に文字で記載するしか効能を知らしめる方法がなかった。そのため視覚的に商品パッケージを短時間見ただけでは高濃度の酸素を充填若しくは付加した商品の効能を理解することが難しく、消費者に時間をかけて商品の説明を読んでもらわないと商品の効能が伝わりにくい問題があった。
【０００４】
また、小さいプッシュボトル等の内容量が少量の商品は、商品自体が小さいため商品自体に多くの効能を記載することは、読める文字の大きさを考慮すれば大変難しいという問題があった。
【０００５】
また、高濃度の酸素を充填若しくは付加した商品を使用したことがない人は、商品の効能を読んだだけでは具体的に自身にどの程度の効果があるのかをイメージすることが難しいという問題があった。
【０００６】
高濃度の酸素が充填若しくは付加された商品のボトルに、様々な意匠を施したデザインの商品が発売されているが、それらの商品において高濃度の酸素が充填若しくは付加された効能を視覚的にイメージすることが可能なボトルのデザイン形状は、本考案提出時においては考案されていない。
【考案の概要】
【考案が解決しようとする課題】
【０００７】
解決しようとする問題点は、高濃度の酸素が充填若しくは付加された商品において、文字のみで表記された効能書きでは、消費者が時間をかけて商品の説明を読まなければ、高濃度の酸素が充填若しくは付加された効能を短時間で素早く理解することができないこと、並びに、高濃度の酸素を充填若しくは付加した商品を使用したことがない人は、商品の効能を読んだだけでは具体的に自身にどの程度の効果があるのかをイメージすることが難しいことである。
【課題を解決するための手段】
【０００８】
本考案は、ボトル全体が酸素カプセルを連想させる意匠を施したデザイン形状を有することにより、ＴＶ等のマスメディアを通じて、多くの有名なスポーツ選手や芸能人が使用することで広く知られている酸素カプセルの効能を連想することが可能になり、視覚的に高濃度の酸素が充填若しくは付加した商品の効能を短時間で素早く理解することが可能になる。
【考案の効果】
【０００９】
本考案のボトルは、ボトル全体が酸素カプセルを連想させる意匠を施したデザイン形状となっている。酸素カプセルは多くの有名スポーツ選手や芸能人が疲労回復、怪我の早期回復、集中力アップ、美肌効果等の効能があることにより使用していることが、ＴＶ等のマスメディアを通じて広く知られている。そのため、酸素カプセルを使用したことがある人には高濃度の酸素を充填若しくは付加した商品の効能が周知の事実であるばかりか、使用したことがない人にも疲労回復、怪我の早期回復、集中力アップ、美肌効果等の効果が期待できることが知られている。従って酸素カプセルを使用した人のみならず、使用したことがない人にも、酸素カプセルを連想させる意匠を施したデザイン形状を有する商品は、疲労回復、怪我の早期回復、集中力アップ、美肌効果等の効果が期待できるイメージを連想させることが可能になるという利点がある。
【００１０】
また、酸素カプセルは高価な機械ということも周知の事実であるため、酸素カプセルを連想させる意匠を施したデザイン形状を有する商品は、商品に高級感という付加価値を与えることが可能になるという利点がある。
【００１１】
また、高級感という付加価値により、その付加価値を商品価格にプラスに反映させることが可能になるという利点がある。
【図面の簡単な説明】
【００１２】
【図１】図１は「ペットボトルに酸素カプセルを連想させる意匠を施したデザイン形状を表した図である。」
【図２】図２は「プッシュボトルに酸素カプセルを連想させる意匠を施したデザイン形状を表した図である。」
【考案を実施するための形態】
【００１３】
ボトル全体を酸素カプセルを連想させる意匠を施したデザイン形状とし、ボトルの側面には酸素カプセルの中を確認できるスクリーン部のデザインを表示し、更に内部の気圧を表示するメーターをデザインとして表示する。各デザインはボトル本体に直接印刷しても構わないし、外装としてシュリンクフィルム若しくはその他外装に用いる素材に印刷したものをボトルに装着してもよい。時代の流れと共に酸素カプセルが進化すれば、誰もが酸素カプセルを連想することができる、その時代にマッチした意匠を施したデザインとしてもかまわない。
【実施例１】
【００１４】
図１は、本考案のデザイン形状を施したペットボトルであって、１はキャップ、２は酸素カプセルのスクリーン部のイラスト若しくは写真を４の外装のシュリンクフィルム上に印刷されている状態を表しており、３は酸素カプセルの内部の圧力を示すメーターのイラスト若しくは写真を４の外装のシュリンクフィルム上に印刷されている状態を表しており、４は酸素カプセルの外観をイメージした形のペットボトル本体に、酸素カプセルのイメージを印刷した外装のシュリンクフィルムを装着した状態のペットボトル本体である。図には酸素カプセルのイラスト若しくは写真が表示されていないが、実際の商品はカラーで印刷された酸素カプセルのイラスト若しくは写真が表示されるため、視覚的に酸素カプセルを、より強く連想させるものとなっている。
【００１５】
図２は、本考案のデザイン形状を施したプッシュボトルあって、１はキャップ、２はプッシュボトル本体、３は酸素カプセルのスクリーン部のイラスト若しくは写真を５の外装のシュリンクフィルム上に印刷されている状態を表しており、４は酸素カプセルの内部の圧力を示すメーターのイラスト若しくは写真を５の外装のシュリンクフィルム上に印刷されている状態を表しており、５は１のキャップを２のプッシュボトル本体に被せて蓋をした状態のプッシュボトル本体に、酸素カプセルのイメージを印刷した外装のシュリンクフィルムを装着した状態のプッシュボトル本体である。図には酸素カプセルのイラスト若しくは写真が表示されていないが、実際の商品はカラーで印刷された酸素カプセルのイラスト若しくは写真が表示されるため、視覚的に酸素カプセルを、より強く連想させるものとなっている。
【図１】
0003185043.tif 000003
【図２】
0003185043.tif 000004
【手続補正書】
【提出日】平成25年5月27日(2013.5.27)
【手続補正２】
【補正対象書類名】実用新案登録請求の範囲
【補正対象項目名】請求項１
【補正方法】変更
【補正の内容】
【請求項１】
金属製若しくはプラスチック製若しくはガラス製のボトルであって、ボトル全体が酸素カプセル状の形状を有することを特徴とする金属製若しくはプラスチック製若しくはガラス製のボトル。